(57)【要約】【課題】  空調用室外機の放熱部に簡単に取り付け可能な室外機用散水ノズルを提供する点にある。【解決手段】多数の薄板状の放熱フィンＣａが並設された空調用室外機Ｂの放熱部Ｃに掛止め可能な構成において、放熱部Ｃに向って水を噴射又は噴霧するノズル口１ａを有するノズル部１と、放熱フィンＣａに対して外方から差し込むことによりノズル部１を放熱フィンＣａに保持させるノズル保持部２とを備える。【選択図】        図１
2007271106.tif 000002
【特許請求の範囲】
【請求項１】
多数の薄板状の放熱フィンが並設された空調用室外機の放熱部に掛止め可能な室外機用散水ノズルであって、
放熱部に向って水を噴射又は噴霧するノズル口を有するノズル部と、放熱フィンに対して外方から差し込むことによりノズル部を放熱フィンに保持させるノズル保持部とを備える室外機用散水ノズル。
【請求項２】
前記ノズル保持部が、放熱フィンを挟持状態で差し込み可能な差し込み凹部を備えたノズル保持体から構成されている請求項１記載の室外機用散水ノズル。
【請求項３】
前記ノズル保持部が、複数の放熱フィン間に突っ張り状態で差し込み可能な差し込み体から構成されている請求項１記載の室外機用散水ノズル。
【請求項４】
多数の薄板状の放熱フィンが並設された空調用室外機の放熱部に掛止め可能な室外機用散水ノズルであって、
放熱部に向って水を噴射又は噴霧するノズル口を有するノズル部の外周面に、放熱フィンの隣接間に挟持状態で差し込み可能な差し込み部が形成されている室外機用散水ノズル。
【請求項５】
前記差し込み部には、放熱フィンの板面に接する面接部が形成されている請求項４記載の室外機用散水ノズル。
【請求項６】
前記ノズル口が、ノズル部のノズル軸線方向及び周方向に分散形成されている請求項１〜５のいずれか１項に記載の室外機用散水ノズル。
【発明の詳細な説明】
【技術分野】
【０００１】
本発明は、空調用室外機の放熱部に掛止め可能な室外機用散水ノズルに関する。
【背景技術】
【０００２】
従来、空調用室外機における放熱部に散水ノズルからの水の噴射又は噴霧することによって、放熱部の熱交換効率を改善する空調機用の補助冷却装置が存在している。
この従来の補助冷却装置では、主に既存の空調用室外機の放熱部に対面する状態に取り付けられた金具に散水ノズルが取り付けられている。
具体的には、空調用室外機の放熱部を収容する外枠に外側から上下に亘って取り付けられた取り付け金具に、外側から室外機内部の放熱部に向けて噴霧する散水ノズルが取り付けられている（例えば、特許文献１を参照）。
【０００３】
【特許文献１】特開平１０−２１３３６１号公報（第３頁、図１）
【発明の開示】
【発明が解決しようとする課題】
【０００４】
しかしながら、従来の補助冷却装置においては、主に既存の空調用室外機に取り付ける補助装置であるので、取り付け専用部品である取り付け金具を必要とする問題がある。
また、取り付け金具を室外機に外付け状態に取り付けする構成や、取り付け金具に散水ノズルを取り付ける構成であるため、取り付け手間を要する問題がある。
【０００５】
本発明は上記の事情に鑑みてなされたものであり、その目的とするところは、空調用室外機の放熱部に簡単に取り付け可能な室外機用散水ノズルを提供する点にある。
【課題を解決するための手段】
【０００６】
本発明の第１番目の室外機用散水ノズルの特徴構成は、多数の薄板状の放熱フィンが並設された空調用室外機の放熱部に掛止め可能な構成において、放熱部に向って水を噴射又は噴霧するノズル口を有するノズル部と、放熱フィンに対して外方から差し込むことによりノズル部を放熱フィンに保持させるノズル保持部とを備える点にある。
【０００７】
このような構成によれば、空調用室外機の放熱部の放熱フィンに対してノズル保持部を外方から差し込むことにより、ノズル口が放熱部に向く状態に当該室外機用散水ノズルを放熱フィンに掛け止めることができる。
【０００８】
従って、従来の補助冷却装置のように室外機に取り付け金具を用いて散水ノズルを取り付けるものに比べて、取り付け金具といった取り付け専用に用いる部品を必要とすることなく、簡単に室外機用散水ノズルを放熱部に掛け止めることができるので、施工性の向上や施工コストの低減を図ることができる。
【０００９】
本発明の第２番目の室外機用散水ノズルの特徴構成は、前記ノズル保持部が、放熱フィンを挟持状態で差し込み可能な差し込み凹部を備えたノズル保持体から構成されている点にある。
【００１０】
このような構成によれば、放熱フィンに対して差し込み凹部を差し込んで、ノズル口が放熱部に向く状態に当該室外機用散水ノズルを放熱フィンに掛け止めることができる。
【００１１】
従って、従来の補助冷却装置のように室外機に取り付け金具を用いて散水ノズルを取り付けるものに比べて、取り付け金具といった取り付け専用に用いる部品を必要とすることなく、放熱フィンに差し込み凹部を差し込むといった簡単な掛け止め操作によって、室外機用散水ノズルを放熱部に掛け止めることができるので、施工性の向上や施工コストの低減を図ることができる。
【００１２】
本発明の第３番目の室外機用散水ノズルの特徴構成は、前記ノズル保持部が、複数の放熱フィン間に突っ張り状態で差し込み可能な差し込み体から構成されている点にある。
【００１３】
このような構成によれば、複数の放熱フィン間に差し込み体を差し込んで、放熱フィン間に突っ張り状態にノズル保持部を掛け止めて、室外機用散水ノズルを放熱部に取り付けることができる。
【００１４】
従って、従来の補助冷却装置のように室外機に取り付け金具を用いて散水ノズルを取り付けるものに比べて、取り付け金具といった取り付け専用に用いる部品を必要とすることなく、簡単に室外機用散水ノズルを放熱部に取り付けることができるので、施工性の向上や施工コストの低減を図ることができる。
【００１５】
本発明の第４番目の室外機用散水ノズルの特徴構成は、多数の薄板状の放熱フィンが並設された空調用室外機の放熱部に掛止め可能な構成において、放熱部に向って水を噴射又は噴霧するノズル口を有するノズル部の外周面に、放熱フィンの隣接間に挟持状態で差し込み可能な差し込み部が形成されている点にある。
【００１６】
このような構成によれば、放熱フィンの隣接間に差し込み部を外方から差し込むことにより、放熱フィン間に挟持状態に当該室外機用散水ノズルを放熱フィンに掛け止めることができる。
【００１７】
従って、従来の補助冷却装置のように室外機に取り付け金具を用いて散水ノズルを取り付けるものに比べて、取り付け金具といった取り付け専用に用いる部品を必要とすることなく、簡単に室外機用散水ノズルを放熱部に取り付けることができるので、施工性の向上や施工コストの低減を図ることができる。
また、差し込み部はノズル部の外周面に形成されているので、放熱フィンに取り付け用の取り付け部を付設したものに比べて取り付け構造が簡素となり製作コストの低減化を図ることができる。
【００１８】
本発明の第５番目の室外機用散水ノズルの特徴構成は、前記差し込み部には、放熱フィンの板面に接する面接部が形成されている点にある。
【００１９】
このような構成によれば、放熱フィン間に差し込み部が挟持された状態で、面接部とこれに対応する放熱フィンの板部分が略面接当する状態となり、放熱フィンによる室外機用散水ノズルの挟持性能を高めることができる。
【００２０】
従って、室外機用散水ノズルの取り付け品質の向上を図ることができる。
【００２１】
本発明の第６番目の室外機用散水ノズルの特徴構成は、前記ノズル口が、ノズル部のノズル軸線方向及び周方向に分散形成されている点にある。
【００２２】
このような構成によれば、放熱部に対して分散状態の噴射又は噴霧された水によって放熱フィンを水濡れ状態にすることができる。
【００２３】
従って、例えば、数少ないノズル口からの噴射又は噴霧による場合に比べて、確実に放熱フィンを水濡れ状態にすることができるとともに、放熱フィンの多面積を水濡れすることができるので、ノズル品質の向上を図ることができる。
【発明を実施するための最良の形態】
【００２４】
以下、本発明の室外機用散水ノズルの一実施例を図面に基づいて説明する。
［第１実施形態］
図1〜図４に示す第１実施形態の室外機用散水ノズルＡは、多数の薄板状の放熱フィンＣａが並設された空調用室外機Ｂの放熱部Ｃに掛止め可能な構成において、放熱部に向って水を噴射又は噴霧するノズル口１ａを有するノズル部１と、放熱フィンＣａに対して外方から差し込むことによりノズル部１を放熱フィンＣａに保持させるノズル保持部２とを備える。
【００２５】
また、室外機用散水ノズルＡは、合成樹脂材から給水チューブ３とノズル部１とノズル保持部２とが一体形成され、この実施形態では、ノズル部１の長手方向の先端に前記ノズル保持部２が形成されている。
【００２６】
前記ノズル部１は、長手方向基端が大径側で長手方向先端が小径側となる略円錐形状に形成され、基端には給水チューブ３が一体接続され、この給水チューブ３からの給水が内部経路を経て水を噴射又は噴射するノズル口１ａが、該ノズル部１のノズル軸線に沿う方向Ｘ及び周方向Ｙに分散形成されている。
【００２７】
前記ノズル保持部３は、図１に示すように、ノズル軸線に沿う方向Ｘと直交する方向Ｚに沿って形成された長方形状の板状体であり、ノズル軸線に沿う方向Ｘと直交する方向の基端中間部が前記ノズル部１の先端に一体連結されている。
【００２８】
また、ノズル保持部１は、ノズル軸線に沿う方向Ｘと直交する方向に沿ってノズル軸線に沿う一対のスリット１ｂが形成されて、先端部を３分割する保持片２ｃが形成されている。前記スリット１ｂの開口幅は、放熱フィンＣａの板厚さよりも僅かに大きく設定されている。
【００２９】
このような構成にすることによって、図２、図４に示すように、空調用室外機Ａの放熱部Ｃの構成部材である放熱フィンＣａに対して、ノズル保持部２の保持片２ｃを放熱フィンＣａの一面と他面とに交互に面接する配置に、各スリット２ｂ内に放熱フィンＣａを外側から差し込んで、放熱フィンＣａにノズル保持部２を掛け止めて放熱部Ｃに室外機用ノズルＡを取り付け状態にすることができる。
【００３０】
この取り付け構成では、横並びする多数の放熱フィンＣａの外側にノズル部１が位置する状態となり、ノズル部１の分散形成されているノズル口１ａから多数の放熱フィンＣａに向けて水を噴射又は噴霧して、対応する放熱フィンＣａを水濡れ状態にすることができる。
【００３１】
このことによって、水濡れした水が放熱フィンＣａに沿って落水すること、水濡れした水が放熱フィンの放熱によって気化することによる熱交換作用によって、放熱部の熱交換効率を改善することができる。
【００３２】
このような室外機用散水ノズルＡにおいて、空調用室外機Ｂの外枠から露出する形式の放熱部Ｃへの取り付けは、例えば、露出している放熱部Ｃの放熱フィンＣａに室外機用散水ノズルＡを掛け止めることができる。
【００３３】
また、図示しないが、放熱部Ｃの全体が外枠で覆われて、その外枠に空気の出入り口用の長孔形状等の多数の小窓が形成されている形式の空調用室外機への取り付けにおいても、空調用散水ノズルが小窓に比べて小さな大きさで、小窓を通して外枠内の放熱部の放熱フィンに掛け止めることができるので、現場対応性に優れている。
【００３４】
尚、室外機用散水ノズルＡは、主に放熱部Ｃの複数又は多数箇所に取り付けられて、放熱部Ｃの熱交換効率の改善が図られる。
【００３５】
［変形例］
この変形例は上述した第１実施形態と異なる部分を説明し、第１実施形態と同様構成部分には同符号を附してその詳細は省略する。
【００３６】
この変形例の室外機用散水ノズルＡは、図５、図６に示すように、ノズル軸線に沿う方向Ｘと平行にノズル保持部２が形成されている。
【００３７】
前記ノズル保持部２は、ノズル軸線に沿う方向Ｘと平行に、クリップ状の一対の押え片２ａがノズル軸線に沿う方向Ｘと直交する方向Ｚに互いが接当又は近接する状態に形成されている。
【００３８】
前記一対の押え片２ａは、例えば、基端を弾性付勢力に抗して折り曲げ形成した両端部から構成されているとともに、その基端がノズル部１に一体連結されている。
【００３９】
［第２実施形態］
この第２実施形態は上述した第１実施形態と異なる部分を説明し、第１実施形態と同様構成部分には同符号を附してその詳細は省略する。
【００４０】
この第２実施形態の室外機用散水ノズルＡは、図７に示すように、放熱フィンＣａを挟持状態で差し込み可能な差し込み凹部２ｂを備えたノズル保持体２から構成されている。
【００４１】
このノズル保持体２は、ノズル部１に一体連結された二又状の取り付け脚２ｃの各先端に、放熱フィンＣａの端縁に外側から差し込み可能な凹部２ｂが一体形成されている。
【００４２】
このような構成にすることによって、放熱フィンＣａに対して差し込み凹部２ｂを差し込んで、ノズル口１ａが放熱部Ｃに向く状態に当該室外機用散水ノズルＡを放熱フィンＣａに掛け止めることができる。
【００４３】
この実施形態の室外機用散水ノズルＡにおいても、横並びする多数の放熱フィンＣａの外側にノズル部１が位置する状態となり、ノズル部１の分散形成されているノズル口１ａから多数の放熱フィンＣａに向けて水を噴射又は噴霧して、対応する放熱フィンＣａを水濡れ状態にすることができる。
【００４４】
［第３実施形態］
この第３実施形態は上述した第１実施形態と異なる部分を説明し、第１実施形態と同様構成部分には同符号を附してその詳細は省略する。
【００４５】
この第３実施形態の室外機用散水ノズルＡは、図８に示すように、複数の放熱フィンＣａ間に突っ張り状態で差し込み可能な差し込み体２ｄからノズル保持部２が構成されている。
【００４６】
前記差し込み体２ｄは、ノズル部１に一体連結されているとともに、互いが弾性変形力によって互いに合い反する外方に開脚する二又状の一対の差し込み脚２ｅから構成されている。
【００４７】
このような構成にすることによって、差し込み片２ｅの弾性付勢力に抗して、複数の放熱フィンＣａ間に差し込み体２ｄを差し込んで、放熱フィンＣａ間に突っ張り状態にノズル保持部２を掛け止めて、室外機用散水ノズルＡを放熱部Ｃに取り付けることができる。
【００４８】
この実施形態の室外機用散水ノズルＡにおいても、横並びする多数の放熱フィンＣａの外側にノズル部１が位置する状態となり、ノズル部１の分散形成されているノズル口１ａから多数の放熱フィンＣａに向けて水を噴射又は噴霧して、対応する放熱フィンＣａを水濡れ状態にすることができる。
【００４９】
［第４実施形態］
この第４実施形態は上述した第１実施形態と異なる部分を説明し、第１実施形態と同様構成部分には同符号を附してその詳細は省略する。
【００５０】
この第４実施形態の室外機用散水ノズルＡは、図９、図１０に示すように、多数の薄板状の放熱フィンＣａが並設された空調用室外機Ｂの放熱部Ｃに掛止め可能で、放熱部Ｃに向って水を噴射又は噴霧するノズル口１ａを有するノズル部１の外周面に、放熱フィンＣａの隣接間に挟持状態で差し込み可能な差し込み部１ｄが形成されている。
【００５１】
前記ノズル部１は、基端部側が断面円形に形成されているとともに、先端部側が断面小判状に形成され、この先端部が差し込み部１ｄに構成されている。
【００５２】
この差し込み部１ｄは、隣接する放熱フィンＣａ間の間隔よりも僅かに大きな幅に形成されている。
【００５３】
前記ノズル部１には、ノズル軸線に沿う方向Ｘ及び周方向Ｙにノズル口１ａが分散形成されている。実際には、隣接する放熱フィン間の間隔は２ｍｍ〜５ｍｍ程度であるので、ノズル口１ａの数は少なくなっている。
【００５４】
また、差し込み部１ｄには、ノズル軸線に沿う方向Ｘに平行な放熱フィンＣａの板面に接する面接部１ｅが形成されている。
【００５５】
このような構成にすることによって、放熱フィンＣａの隣接間に差し込み部１ｄを外方から差し込むことにより、放熱フィンＣａ間に挟持状態に当該室外機用散水ノズルＡを放熱フィンＣａに掛け止めることができる。
【００５６】
しかも、差し込み部１ｄに面接部１ｅが形成されていることによって、放熱フィンＣａ間に差し込み部１ｄが挟持された状態で、面接部１ｅとこれに対応する放熱フィンＣａの板部分が略面接当する状態となり、放熱フィンＣａによる室外機用散水ノズルＡの挟持作用を高めることができる。
【００５７】
この実施形態の室外機用散水ノズルＡにおいては、隣接する放熱フィンＣａ間にノズル部１が差し込み状態となるので、隣接する放熱フィンＣａを確実に水濡れ状態にすることができる。加えて、ノズル口１ａからの噴射又は噴霧の勢いを強めることによって、放熱部Ｃの内部側の放熱フィンＣａを水濡れ状態にすることが可能であるので、水濡れする面積を大きくすることが可能である。
【００５８】
尚、この実施形態では差し込み部１ｄの面接部１ｅを形成するものであったが、図１１、図１２に示すように、基端部から先端部までが一連に断面円形な円柱体状のものであってもよい。
この場合においても、この差し込み部１ｄは、隣接する放熱フィンＣａ間の間隔よりも僅かに大きな幅に形成されていることによって、放熱フィンＣａの隣接間に差し込み部１ｄを外方から差し込むことにより、放熱フィンＣａ間に挟持状態に当該室外機用散水ノズルＡを掛け止めることができる。
【００５９】
［別実施形態］
１）本発明は上記各実施形態に限らず、図１３に示すように、ノズル部１の先端部に放熱フィンＣａの板厚さより僅かに小さなスリット状の凹部１ｆを設けて、放熱フィンＣａに対して外側から凹部１ｆを差し込むことによって、放熱フィンＣａを挟持する構成の室外機用散水ノズルＡであってもよい。これ以外にも、凹部１ｆを、入口開口から内方に向うほど間隔が狭くなるテーパー状に凹部内側面を形成して、放熱フィンを挟持する構成であってもよい。
【００６０】
また、図１４に示すように、ノズル部１の長手方向に層の先端に、隣接する放熱フィンＣａの間隔よりも僅かに大きい厚さに形成された差し込み舌片４を一体形成して、外側から隣接する放熱フィンＣａ間に、差し込み舌片４を放熱フィンＣａの弾性変形力に抗して差し込んで、隣接する放熱フィンＣａ間に挟持状態に当該室外機用散水ノズルＡを掛け止めるものであってもよい。
【００６１】
２）上記第１実施形態では、一つのノズル保持部２に対して一つのノズル部１を備えた室外機用散水ノズＡについて説明したが、本発明はこれに限らず、図１５に示すように、一つのノズル保持部２に対して複数（図面では３つ）のノズル部１を横並びに配置形成するものであってもよい。
【００６２】
３）上記各実施形態では、放熱部Ｃに室外機用散水ノズルＡを取り付けた状態で、ノズル部１が放熱フィンＣａの外側に配置されるものを図示したが、本発明はこれに限らず、放熱部Ｃに室外機用散水ノズルＡを取り付けた状態で、ノズル部１を隣接する放熱フィンＣａ間に差し込み状態に配置されるものであってもよい。
【００６３】
４）上記各実施形態のノズル部１は、供給チューブ３を一体に連接するものについて説明したが、本発明はこれに限らず、螺合の接続等の接続手段によってノズル部１に供給チューブ３を接続するものであってもよい。
【図面の簡単な説明】
【００６４】
【図１】放熱部に室外機用散水ノズルを取り付けた状態を示す要部側面図
【図２】放熱部に室外機用散水ノズルを取り付けた状態を示す要部正断面図
【図３】放熱部と室外機用散水ノズルを示す側面図
【図４】放熱部に室外機用散水ノズルを取り付けた状態を示す要部平断面図
【図５】放熱部に変形例の室外機用散水ノズルを取り付けた状態を示す要部側面図
【図６】放熱部に変形例の室外機用散水ノズルを取り付けた状態を示す要部平断面図
【図７】放熱部に第２実施形態の室外機用散水ノズルを取り付けた状態を示す要部平断面図
【図８】放熱部に第３実施形態の室外機用散水ノズルを取り付けた状態を示す要部平断面図
【図９】放熱部に第４実施形態の室外機用散水ノズルを取り付けた状態を示す要部平断面図
【図１０】放熱部に第４実施形態の室外機用散水ノズルを取り付けた状態を示す要部正断面図
【図１１】放熱部に第４実施形態の別の室外機用散水ノズルを取り付けた状態を示す要部平断面図
【図１２】放熱部に第４実施形態の別の室外機用散水ノズルを取り付けた状態を示す要部正断面図
【図１３】放熱部に別実施形態の室外機用散水ノズルを取り付けた状態を示す要部平断面図
【図１４】放熱部に別実施形態の室外機用散水ノズルを取り付けた状態を示す要部平断面図
【図１５】放熱部に別実施形態の室外機用散水ノズルを取り付けた状態を示す要部平断面図
【符号の説明】
【００６５】
Ａ          室外機用散水ノズル
Ｂ          空調用室外機
Ｃ          放熱部
Ｃａ        放熱フィン
１          ノズル部
１ａ        ノズル口
１ｄ        差し込み部
２          ノズル保持部
２ｂ        差し込み凹部
２ｄ        差し込み体
【図１】
2007271106.tif 000003
【図２】
2007271106.tif 000004
【図３】
2007271106.tif 000005
【図４】
2007271106.tif 000006
【図５】
2007271106.tif 000007
【図６】
2007271106.tif 000008
【図７】
2007271106.tif 000009
【図８】
2007271106.tif 000010
【図９】
2007271106.tif 000011
【図１０】
2007271106.tif 000012
【図１１】
2007271106.tif 000013
【図１２】
2007271106.tif 000014
【図１３】
2007271106.tif 000015
【図１４】
2007271106.tif 000016
【図１５】
2007271106.tif 000017